(57)【要約】【課題】テスト遮断の機能を備えたガスメータにおいて、テスト遮断を短時間に行うことができ、また衝撃や震動に強く、離れた場所からも操作できるようにする。【解決手段】通信装置２０から送信された光信号をガスメータ１０の赤外線受信回路１５でパルス信号に変換し、パターン判定回路１６で前記パルス信号が特定のパターンを有する信号かどうかを判定する。パターン判定回路１６で前記パルス信号が特定のパターンを有する信号と判定され、検出信号がコントローラ１７に出力されると、コントローラ１７では前記検出信号に対応して設定された所定の内部処理として、テスト遮断を実行する。【選択図】　　　図１
2004138444.tif 000002
【特許請求の範囲】
【請求項１】
外部から送信された赤外線信号を受信する赤外線受信手段と、
前記赤外線受信手段で受信した赤外線信号が特定のパターンを有する信号かどうかを判定し、前記受信した赤外線信号が特定のパターンを有する信号であるときは、検出信号を出力するパターン判定手段と、
前記パターン判定手段から出力された検出信号を受信した場合は、前記検出信号に対応して設定された所定の内部処理を実行するコントローラと、
を備えたことを特徴とするガスメータ。
【請求項２】
外部から送信された赤外線信号を受信する赤外線受信手段と、
前記赤外線受信手段で受信した赤外線信号が第１のパターンを有する信号かどうかを判定し、前記受信した赤外線信号が第１のパターンを有する信号であるときは、第１の検出信号を出力する第１のパターン判定手段と、
前記赤外線受信手段で受信した赤外線信号が第２のパターンを有する信号かどうかを判定し、前記受信した赤外線信号が第２のパターンを有する信号であるときは、第２の検出信号を出力する第２のパターン判定手段と、
前記第１又は第２のパターン判定手段からそれぞれ出力された第１又は第２の検出信号を受信した場合は、それぞれの検出信号に対応して設定された所定の内部処理を実行するコントローラと、
を備えたことを特徴とするガスメータ。
【請求項３】
前記特定のパターンを有する信号は、前記赤外線信号毎に識別パターンを有することを特徴とする請求項１又は２に記載のガスメータ。
【請求項４】
外部から送信された赤外線信号を受信する赤外線受信手段と、
前記赤外線受信手段で赤外線受信した赤外線信号を電文命令として出力する信号変換手段と、
前記信号変換手段で変換された電文命令に従って所定の内部処理を実行するコントローラと、
を備えたことを特徴とするガスメータ。
【請求項５】
ガスメータに所定の内部処理を実行させるための特定のパターンを有する赤外線信号を送信する通信装置と、
請求項１に記載のガスメータと、
を備えたことを特徴とするガスメータ制御システム。
【請求項６】
前記ガスメータとして、請求項２に記載のガスメータを用いたことを特徴とする請求項５に記載のガスメータ制御システム。
【請求項７】
前記ガスメータとして、請求項４に記載のガスメータを用いたことを特徴とする請求項５に記載のガスメータ制御システム。
【発明の詳細な説明】
【０００１】
【発明の属する技術分野】
この発明は、テスト遮断等のテスト機能を有するガスメータ及びガスメータ制御システムに関する。
【０００２】
【従来の技術】
従来、マイコンを内蔵したガスメータは、各センサを通じてガスの使用状態を監視し、異常を検知した場合にはマイコン制御によりガスの供給を遮断して、安全を確保している。
【０００３】
この種のガスメータは一般に、テスト遮断や各種設定を行うためのテストスイッチを備えている。このテストスイッチを外部からオン／オフさせてマイコンに出力信号を送ることにより、テスト的に遮断弁を動作させたり（テスト遮断）、運搬中に各センサが動作しないように設定したり（出荷時設定）、あるいは製造時における内部の設定（初期設定）等を行うことができる。
【０００４】
従来、テストスイッチとしてはリードスイッチが使用されており、作業員がテストスイッチに磁石等を近づけて磁界を加えることによりオン、オフの制御を行っていた。
【０００５】
【特許文献１】
特開２０００−２５７７号公報
【０００６】
【発明が解決しようとする課題】
ところで、テストスイッチとして使用されるリードスイッチは、故意又は偶発的に磁石を近づけると誤動作してしまい、テスト遮断の状態となってガスの供給が遮断されてしまうことがあった。このため、従来は誤動作防止のために、磁石等をある程度長い時間近づけていないと動作しないようにしていた。
【０００７】
しかしながら、本来のテスト遮断等を行うためには、テストスイッチに磁石を長い時間近づけていなくてはならないため、作業に時間がかかり、また作業員の作業負担も大きくなるという難点があった。また、リードスイッチは機械的にオン／オフするために動作が遅く、磁気の周波数が高い電磁石を用いる出荷時設定や初期設定（以下、各種設定）においても作業に時間がかかるという難点があった。
【０００８】
さらに、リードスイッチは機械的に弱く、強い衝撃や震動で破壊してしまうおそれがあり、またガスメータの設置された場所から離れた位置でテスト遮断や各種設定の操作を行うことができないという難点があった。
【０００９】
この発明の目的は、テスト遮断や各種設定を短時間に行うことができ、また衝撃や震動に強く、離れた場所からもテスト遮断等の操作を行うことができるガスメータ及びガスメータ制御システムを提供することにある。
【００１０】
【課題を解決するための手段】
上記課題を解決するため、請求項１の発明は、外部から送信された赤外線信号を受信する赤外線受信手段と、前記赤外線受信手段で受信した赤外線信号が特定のパターンを有する信号かどうかを判定し、前記受信した赤外線信号が特定のパターンを有する信号であるときは、検出信号を出力するパターン判定手段と、前記パターン判定手段から出力された検出信号を受信した場合は、前記検出信号に対応して設定された所定の内部処理を実行するコントローラとを備えたことを特徴とするガスメータである。
【００１１】
好ましい形態として、前記パターン判定手段は、１パルス中にＸｍｓｅｃ以上のハイレベル期間と、Ｙｍｓｅｃ以上のローレベル期間とを含み、Ｔ秒間にＺパルス以上ある場合に特定のパターンを有する信号と判定する。
【００１２】
請求項２の発明は、外部から送信された赤外線信号を受信する赤外線受信手段と、前記赤外線受信手段で受信した赤外線信号が第１のパターンを有する信号かどうかを判定し、前記受信した赤外線信号が第１のパターンを有する信号であるときは、第１の検出信号を出力する第１のパターン判定手段と、前記赤外線受信手段で受信した赤外線信号が第２のパターンを有する信号かどうかを判定し、前記受信した赤外線信号が第２のパターンを有する信号であるときは、第２の検出信号を出力する第２のパターン判定手段と、前記第１又は第２のパターン判定手段からそれぞれ出力された第１又は第２の検出信号を受信した場合は、それぞれの検出信号に対応して設定された所定の内部処理を実行するコントローラとを備えたことを特徴とするガスメータである。
【００１３】
好ましい形態として、前記第１のパターン判定手段では、１パルス中にＸｍｓｅｃ以上のハイレベル期間と、Ｙｍｓｅｃ以上のローレベル期間とを含み、Ｔ秒間にＺパルス以上ある場合に第１のパターンを有する信号と判定し、前記第２のパターン判定手段では、１パルス中にＸ′ｍｓｅｃ以上のハイレベル期間と、Ｙ′ｍｓｅｃ以上のローレベル期間とを含み、Ｔ秒間にＺ′パルス以上ある場合に第２のパターンを有する信号と判定する。
【００１４】
好ましい形態として、請求項１及び請求項２における所定の内部処理は、テスト遮断、出荷時設定、初期設定のいずれかの処理とする。
【００１５】
請求項３の発明は、請求項１又は２において、前記特定のパターンを有する信号は、前記赤外線信号毎に識別パターンを有することを特徴とする。
【００１６】
好ましい形態として、前記特定のパターンを有する信号は、パルス幅の異なる２つのパルス波形と０又は１のビットとを対応付け、これらパルス波形を用いて複数通りのビットパターンの組み合わせを設定することにより、各赤外線信号毎に付加された識別パターンとする。
【００１７】
請求項４の発明は、外部から送信された赤外線信号を受信する赤外線受信手段と、前記赤外線受信手段で受信した赤外線信号を電文命令として出力する信号変換手段と、前記信号変換手段で変換された電文命令に従って所定の内部処理を実行するコントローラとを備えたことを特徴とするガスメータである。
【００１８】
請求項５の発明は、ガスメータに所定の内部処理を実行させるための特定のパターンを有する赤外線信号を送信する通信装置と、請求項１に記載のガスメータとを備えたことを特徴とするガスメータ制御システムである。
【００１９】
請求項６の発明は、請求項５において、前記ガスメータとして、請求項２に記載のガスメータを用いたことを特徴とする。
【００２０】
請求項７の発明は、請求項５において、前記ガスメータとして、請求項４に記載のガスメータを用いたことを特徴とする。
【００２１】
【発明の実施の形態】
以下、本発明に係わるガスメータ及びガスメータ制御システムを適用した実施の形態について説明する。
【００２２】
実施の形態１
図１は、実施の形態１に係わるガスメータ制御システムの機能的な構成を示すブロック図である。このガスメータ制御システムは、大別すると、ガスメータ１０と、通信装置２０とから構成されている。
【００２３】
ガスメータ１０は、ガス流量を検出する流量センサ１１、地震による震動を検出する感震センサ１２、ガス圧力を検出する圧力センサ１３、ガスの供給を遮断する遮断弁１４、外部の通信装置２０から送信された赤外線信号を受信する赤外線受信手段としての赤外線受信回路１５、赤外線受信回路１５で受信した赤外線信号が特定のパターンを有する信号であるときは、コントローラ１７に検出信号を出力するパターン判定手段としてのパターン判定回路１６、ガスメータ１０の制御に必要な種々の演算処理を実行するマイクロコンピュータ（図示しないＣＰＵ、メモリ、タイマ、入出力インターフェース等を含む）で構成されるコントローラ１７のほか、ガスの使用量や警報、その他の情報を表示する図示しない表示部、各回路を動作させるための電源となる図示しない電池を備えている。
【００２４】
通信装置２０は、作業員により操作され、テスト遮断を実行させるための信号を赤外線の光信号に変換してガスメータ１０に送信する。ここで用いられる光信号は、赤外光の照射期間とパルス幅とを対応付けた信号である。
【００２５】
赤外線受信回路１５は、通信装置２０から送信された光信号を受光するための受光部であり、例えばフォト・ダイオードで構成される。この赤外線受信回路１５で受信された光信号は、対応するパルス信号に変換されてパターン判定回路１６に出力される。
【００２６】
例えば、通信装置２０から図２（Ａ）に示すような光信号が送信された場合、赤外線受信回路１５が近くにあるときは、図２（Ｂ）に示すような光信号として受信され、赤外線受信回路１５からは図２（Ｃ）に示すようなパルス信号が出力される。また、赤外線受信回路１５が遠くにあるときは、図２（Ｄ）に示すようなパルス幅と振幅の小さな光信号として受信されるため、赤外線受信回路１５からは図２（Ｅ）に示すようになパルス信号が出力される。
【００２７】
パターン判定回路１６は、赤外線受信回路１５から送られてきたパルス信号が特定のパターンを有する信号かどうかを判定し、前記特定のパターンを有する信号（以下、適宜にパターン信号という）であるときは、コントローラ１７に検出信号を出力する。
【００２８】
受信した信号のパターン判定では、例えば図５（Ａ）を用いて説明すると、１パルス中にＸｍｓｅｃ以上のハイレベル期間と、Ｙｍｓｅｃ以上のローレベル期間とを含み、かつＴ秒間にＺパルス以上ある場合に、その信号をパターン信号と判定する。
【００２９】
コントローラ１７は、ガスの使用量を演算して図示しない表示部に表示させる処理と、各センサを通じてガスの圧力低下、地震の発生、電源電圧の低下等を常時監視し、異常の有無を判定して、ガスの遮断又は警報を行う。これらの処理は、信号監視プログラム、異常判定プログラム、遮断／警報プログラム等に基づいて実行される。
【００３０】
またコントローラ１７は、パターン判定回路１６から検出信号を受信したときは、この検出信号に対応して設定された所定の内部処理としてテスト遮断の処理を実行する。この処理は、図示しないメモリに記憶されているテスト遮断処理プログラムに従って実行される。
【００３１】
次に、通信装置２０から送信された光信号によりテスト遮断する場合の処理手順を図３のフローチャートを参照しながら説明する。
【００３２】
赤外線受信回路１５は、待機状態において通信装置２０から光信号を受信すると（ステップ１０１でＹｅｓ）、受信した光信号をパルス信号に変換してパターン判定回路１６に出力する（ステップ１０２）。パターン判定回路１６は、赤外線受信回路１５から受信したパルス信号について、１パルス中にＸｍｓｅｃ以上のハイレベル期間と、Ｙｍｓｅｃ以上のローレベル期間とを含み、かつＴ秒間にＺパルス以上あるかどうかを検査し（ステップ１０３）、受信したパルス信号がパターン信号かどうかを判定する（ステップ１０４）。ここで、Ｙｅｓであればコントローラ１７に検出信号を出力し（ステップ１０５）、Ｎｏであればステップ１０１に戻る。ステップ１０５でパターン判定回路１６から検出信号を受信したコントローラ１７は、テスト遮断の処理を実行する（ステップ１０６）。
【００３３】
上記実施の形態１に係わるガスメータ制御システムによれば、特定のパターンを有する信号を送信して、そのパターン判定を行うことにより、所定の内部処理を実行するようにしたので、リードスイッチに磁石等を近づける従来方式のように誤動作によりガスの供給が遮断されるという不具合を生じることがない。また、簡単な操作で短時間にテスト遮断の作業を完了することができるので、作業時間の短縮や作業負担の軽減を図ることができる。さらに、赤外線受信回路１５は従来のリードスイッチのように衝撃や震動により破壊されることがなく、またガスメータ１０から離れた場所からも操作することができるため保守が容易となり、作業性にも優れている。
【００３４】
なお、実施の形態１におけるパターン判定回路１６の機能は、コントローラ１７において、図示しないメモリに記憶したパターン判定プログラムによりソフト的に実行するようにしてもよい。
【００３５】
実施の形態２
図４は、実施の形態２に係わるガスメータ制御システムの機能的な構成を示すブロック図である。
【００３６】
この実施の形態２におけるガスメータ１０−２は、第１のパターン判定手段としてのパターン判定回路１８と、第２のパターン判定手段としての別パターン判定回路１９とを備えている。その他の構成は図１と同じであり、図１と同等部分を同一符号で示している。以下、実施の形態２に特徴的な構成について説明する。
【００３７】
パターン判定回路１８は、赤外線受信回路１５から送られてきたパルス信号が第１のパターンを有する信号（以下、第１のパターン信号）かどうかを判定し、第１のパターン信号であるときは、コントローラ１７に第１の検出信号を出力する。
【００３８】
受信した信号のパターン判定では、図５（Ａ）に示すように、１パルス中にＸｍｓｅｃ以上のハイレベル期間と、Ｙｍｓｅｃ以上のローレベル期間とを含み、かつＴ秒間にＺパルス以上ある場合に、その信号を第１のパターン信号と判定する。
【００３９】
パターン判定回路１８は、赤外線受信回路１５から送られてきたパルス信号が第２のパターンを有する信号（以下、第２のパターン信号）かどうかを判定し、第２のパターン信号であるときは、コントローラ１７に第２の検出信号を出力する。
【００４０】
受信した信号のパターン判定では、図５（Ｂ）に示すように、１パルス中にＸ′（＜Ｘ）ｍｓｅｃ以上のハイレベル期間と、Ｙ′（＞Ｙ）ｍｓｅｃ以上のローレベル期間とを含み、かつＴ秒間にＺ′（＜Ｚ）パルス以上ある場合に、その信号を第２のパターン信号と判定する。
【００４１】
コントローラ１７は、パターン判定回路１８から第１の検出信号を受信したときは、この検出信号に対応して設定された所定の内部処理としてテスト遮断の処理を実行する。この処理は、図示しないメモリに記憶されているテスト遮断処理プログラムに従って実行される。また、別パターン判定回路１９から第２の検出信号を受信したときは、この第２の検出信号に対応して設定された所定の内部処理として出荷時設定の処理を実行する。この処理は、図示しないメモリに記憶されている出荷時設定処理プログラムに従って実行される。
【００４２】
次に、通信装置２０から送信された光信号によりテスト遮断又は出荷時設定する場合の処理手順を図６のフローチャートを参照しながら説明する。
【００４３】
赤外線受信回路１５は、待機状態において通信装置２０から光信号を受信すると（ステップ２０１でＹｅｓ）、受信した光信号をパルス信号に変換して各パターン判定回路にそれぞれ出力する（ステップ２０２）。
【００４４】
パターン判定回路１６は、赤外線受信回路１５から受信したパルス信号について、１パルス中にＸｍｓｅｃ以上のハイレベル期間と、Ｙｍｓｅｃ以上のローレベル期間とを含み、かつＴ秒間にＺパルス以上あるかどうかを検査し（ステップ２０３）、受信したパルス信号が第１のパターン信号かどうかを判定する（ステップ２０４）。ここで、Ｙｅｓであればコントローラ１７に第１の検出信号を出力し（ステップ２０５）、Ｎｏであればステップ２０１に戻る。
【００４５】
別パターン判定回路１８は、赤外線受信回路１５から受信したパルス信号について、１パルス中にＸ′ｍｓｅｃ以上のハイレベル期間と、Ｙ′ｍｓｅｃ以上のローレベル期間とを含み、かつＴ秒間にＺ′パルス以上あるかどうかを検査し（ステップ２０６）、受信したパルス信号が第２のパターン信号かどうかを判定する（ステップ２０７）。ここで、Ｙｅｓであればコントローラ１７に第２の検出信号を出力し（ステップ２０８）、Ｎｏであればステップ２０１に戻る。
【００４６】
なお、上記ステップ２０３〜ステップ２０５、並びにステップ２０６〜ステップ２０８の処理は並列に実行されるが、通信装置２０からは同時に２つの光信号が送信されることはないため、コントローラ１７には第１又は第２の検出信号のいずれか一方が出力される。
【００４７】
続いて、各パターン判定回路から検出信号を受信したコントローラ１７は、その信号が第１の検出信号か第２の検出信号かを判定する（ステップ２０９）。ここで、受信した信号が第１の検出信号であるときは、テスト遮断の処理を実行する（ステップ２１０）。また、受信した信号が第２の検出信号であるときは、出荷時設定の処理を実行する（ステップ２１１）。
【００４８】
上記実施の形態２に係わるガスメータ制御システムによれば、異なるパターンを有する信号を送信して、それぞれのパターン判定を行うことにより、異なる内部処理を実行するようにしたため、簡単な操作で短時間にテスト遮断や出荷時設定のような異なる作業を完了することができる。
【００４９】
この実施の形態２では、第２の検出信号に対応する内部処理として出荷時設定の処理を行う例を示したが、他の形態として、例えば初期設定の処理を実行するようにしてもよい。また、さらに複数の異なるパターン信号を用い、それぞれのパターン判定を行うことにより、テスト遮断、出荷時設定、初期設定等の内部処理を実行するようにしてもよい。
【００５０】
なお、実施の形態２におけるパターン判定回路１８，同１９の機能は、コントローラ１７において、図示しないメモリに記憶したパターン判定プログラムによりソフト的に実行するようにしてもよい。
【００５１】
上記実施の形態１及び２では、パターン信号を複数のパルス波形で構成した例について示したが、パターン信号は単パルスで構成されていてもよいし、周期の異なる幾つかのパルス波形を組み合わせたものであってもよい。
【００５２】
実施の形態３
この実施の形態３では、通信装置２０から送信する信号毎に個別の識別パターンを設けることにより、セキュリティを向上させた例について説明する。
【００５３】
図７は、識別パターンを４ビットで構成した場合のパルス波形と、その組み合わせを示すタイミングチャートである。
【００５４】
図７（Ａ）に示すように、パルス幅の異なる２つのパルス波形と“０”，“１”のビットとを対応付けし、これらパルス波形を用いて図７（Ｂ）に示すように、４ビットで１６通りの識別パターン（ビットパターン）の組み合わせを設定する。これにより、１６個のガスメータについて、それぞれ異なるパターン信号を送信することができる。
【００５５】
パターン判定回路では、受信したパルス信号の第１ビットから第４ビットまでを取り出し、“０”又は“１”のパルス幅を有するパルスがあらかじめ決められた組み合わせのデータ列として存在するかどうかを検査することにより、受信したパルス信号が固有の識別パターンを有するパターン信号であるかどうかを判定する。したがって、受信した信号が、そのガスメータに固有の識別パターンを有するパターン信号でなければ、内部処理は行われないことになる。
【００５６】
上記実施の形態３によれば、各ガスメータ毎に固有の識別パターンを有するパターン信号により動作させることができるため、１つのパターン信号で複数のガスメータを動作させる場合に比べ、不正な操作を防止することができるようになり、セキュリティの向上を図ることができる。
【００５７】
なお、図７では、４ビットで１６通りの識別パターンの組み合わせを設定した例について示したが、ビット数を増やすことにより、さらに多くの識別パターンの組み合わせを設定することができる。
【００５８】
実施の形態４
図８は、実施の形態４に係わるガスメータ制御システムの機能的な構成を示すブロック図である。
【００５９】
実施の形態４におけるガスメータ１０−３は、通信装置２０から送信された電文を変換するための信号変換手段としてのＵＡＲＴ　（Ｕｎｉｖｅｒｓａｌ　Ａｓｙｎｃｈｒｏｎｏｕｓ　Ｒｅｃｅｉｖｅｒ／Ｔｒａｎｓｍｉｔｔｅｒ）２１を備えている。その他の構成は図１と同じであり、図１と同等部分を同一符号で示している。以下、実施の形態４に特徴的な構成について説明する。
【００６０】
通信装置２０は、テスト遮断や出荷時設定処理等を実行させるための信号を赤外線の光信号に変換してガスメータ１０−３に送信する。ここで用いられる光信号には、図示しない通信Ｉ／Ｆに使用する通信電文と同じ形式の電文が用いられている。
【００６１】
すなわち、図９（Ｂ）に示すように、１電文は複数の連続するキャラクタにより構成されている。１キャラクタは、図９（Ａ）に示すように、１ビットあたり３００ｂｐｓで、例えば７ビットコードのデータ列と、スタートビット、パリティビット、ストップビットにより構成されている。
【００６２】
ＵＡＲＴ２１は、赤外線受信回路１５で受信し、パルス信号に変換されたシリアルデータを電文命令としてのパラレルデータに変換してコントローラ１７に受け渡している。
【００６３】
コントローラ１７は、ＵＡＲＴ２１から渡されたパラレルデータの内容を解析し、そのデータコードに対応する内部処理として、テスト遮断や出荷時設定処理等を実行する。この処理は、図示しないメモリに記憶されているテスト遮断処理プログラムや出荷時設定処理プログラム等に従って実行される。
【００６４】
すなわち、実施の形態４においては、通信装置２０から送信された光信号を赤外線受信回路１５で受信してパルス信号に変換し、このパルス信号を電文命令としてのパラレルデータに変換してコントローラ１７に受け渡す。コントローラ１７では、ＵＡＲＴ２１から渡されたパラレルデータを解析し、そのデータコードに対応する内部処理として、テスト遮断や出荷時設定処理等を実行する。
【００６５】
上記実施の形態４に係わるガスメータ制御システムによれば、電文を用いてガスメータの内部処理を指示するようにしたので、１又は複数のパターン判定処理を行うことなしに、テスト遮断や出荷時設定等の内部処理を実行することができる。
【００６６】
本発明の実施の形態では、赤外線受信手段を、赤外線に対応した信号に変換する方法で説明しているが、本方式に限定されるものではなく、家電製品等で採用しているパルス変調方式や、情報端末等で採用しているＩｒＤＡ　（Ｉｎｆｒａｒｅｄ　Ｄａｔａ　Ａｓｓｏｃｉａｔｉｏｎ）方式等、同等の機能を有する他の方式を適用することができる。
【００６７】
【発明の効果】
以上説明したように、本発明によれば、通信装置から送信された赤外線信号が特定のパターンを有する信号であれば、対応する所定の内部処理を実行するようにしたため、テスト遮断や出荷時設定等を短時間に行うことができ、作業時間の短縮や作業負担の軽減を図ることができる。さらには、リードスイッチに比べて衝撃や震動に強く、離れた場所からもテスト遮断等の操作を行うことができるため保守が容易となり、また作業性にも優れている。
【図面の簡単な説明】
【図１】実施の形態１に係わるガスメータ制御システムの機能的な構成を示すブロック図。
【図２】（Ａ）は通信装置から送信される光信号のタイミングチャート。（Ｂ）近くにある赤外線受信回路で受信された光信号のタイミングチャート。（Ｃ）赤外線受信回路から出力されるパルス信号のタイミングチャート。（Ｄ）は遠くにある赤外線受信回路で受信された光信号のタイミングチャート。（Ｅ）赤外線受信回路から出力されるパルス信号のタイミングチャート。
【図３】実施の形態１において通信装置から送信された光信号によりテスト遮断する場合の処理手順を示すフローチャート。
【図４】実施の形態２に係わるガスメータ制御システムの機能的な構成を示すブロック図。
【図５】（Ａ）は第１のパターン信号と判定する場合の条件を示すタイミングチャート。（Ｂ）は第２のパターン信号と判定する場合の条件を示すタイミングチャート。
【図６】実施の形態２において通信装置から送信された光信号によりテスト遮断又は出荷時設定する場合の処理手順を示すフローチャート。
【図７】（Ａ）はパルス波形とビットとを対応付けした場合の信号波形図。（Ｂ）は識別パターンの組み合わせを示す信号波形図。
【図８】実施の形態４に係わるガスメータ制御システムの機能的な構成を示すブロック図。
【図９】（Ａ）は電文の１キャラクタの構成を示す説明図。（Ｂ）は１電文の構成を示す説明図。
【符号の説明】
１０，１０−２，１０−３　ガスメータ
１１　流量センサ
１２　感震センサ
１３　圧力センサ
１４　遮断弁
１５　赤外線受信回路
１６，１８　パターン判定回路
１７　コントローラ
１９　別パターン判定回路
２０　通信装置
２１　ＵＡＲＴ
【図１】
2004138444.tif 000003
【図２】
2004138444.tif 000004
【図３】
2004138444.tif 000005
【図４】
2004138444.tif 000006
【図５】
2004138444.tif 000007
【図６】
2004138444.tif 000008
【図７】
2004138444.tif 000009
【図８】
2004138444.tif 000010
【図９】
2004138444.tif 000011